(57)【要約】      （修正有）【課題】それぞれが異なる方向で蓄電素子と並び且つ連結部を介して互いに連結された第一フレームと第二フレームとの境界周辺に対して局所的な応力集中が生じることを抑制することのできる蓄電装置の提供。【解決手段】蓄電素子２を保持する保持部材４は、蓄電素子２と並ぶ終端部４００及び終端部４００に接続された取付部４０１を含む第一フレーム４０と、蓄電素子２と並ぶ本体部及び本体部から延出して終端部４００の外面に沿う延出部を含む第二フレーム４１と、第一フレームと第二フレームとを第一方向に連結する連結部４２であって、延出部内で第二方向に間隔をあけて配置される二つ以上の連結部とを備え、取付部は、固定面に対して固定される設置部を含み、連結部は、設置部の固定中心を通る第一仮想直線よりも外方に配置され、最も設置部側にある連結部以外の連結部は、最も設置部側にある連結部よりも外方に配置される蓄電装置１。【選択図】図２
2019220430.tif 000002
【特許請求の範囲】
【請求項１】
少なくとも一つの蓄電素子と、
前記蓄電素子を保持する保持部材とを備え、
前記保持部材は、
第一方向で前記蓄電素子と並ぶ終端部及び前記第一方向と直交する第二方向の前記終端部の一端に接続された取付部を含む第一フレームと、
前記第一方向及び前記第二方向と直交する第三方向で前記蓄電素子と並ぶ本体部及び該本体部から延出して少なくとも前記終端部の外面に沿う延出部を含む第二フレームと、
前記第一フレームと前記第二フレームとを前記第一方向に連結する連結部であって、前記延出部内で前記第二方向に間隔をあけて配置される二つ以上の連結部とを備え、
前記取付部は、取り付けの対象となる固定面に対して固定される設置部を含み、
前記二つ以上の連結部は、前記設置部の固定中心を通る第一仮想直線よりも前記第三方向において外方に配置され、
前記二つ以上の連結部のうちの最も前記設置部側にある連結部以外の連結部は、前記二つ以上の連結部のうちの最も前記設置部側にある前記連結部よりも前記第三方向において外方に配置される、
蓄電装置。
【請求項２】
前記二つ以上の連結部のうちの最も前記設置部側にある連結部以外の連結部は、前記二つ以上の連結部のうちの最も前記設置部側にある前記連結部と前記設置部の固定中心とを結ぶ第二仮想直線の延長線上に配置される、
請求項１に記載の蓄電装置。
【請求項３】
前記二つ以上の連結部のうちの最も前記終端部の他端側にある前記連結部以外の連結部は、前記二つ以上の連結部のうちの最も前記終端部の他端側にある前記連結部と前記設置部の固定中心とを結ぶ第二仮想直線上に配置される、
請求項１に記載の蓄電装置。
【請求項４】
前記第一フレームは、前記第一方向で前記少なくとも一つの蓄電素子の両側に一対配置され、
前記第二フレームは、前記第三方向で前記少なくとも一つの蓄電素子の両側に一対配置され、
前記一対の第二フレームのうちの一方の第二フレームと前記第一フレームとを連結する前記二つ以上の連結部と、前記一対の第二フレームのうちの他方の第二フレームと前記第一フレームとを連結する前記二つ以上の連結部とは、前記第一フレームの前記終端部の前記第二方向に延びる中心線を基準に対称的に配置される、
請求項１乃至３の何れか１項に記載の蓄電装置。
【請求項５】
前記取付部は、
前記第三方向に間隔をあけて配置された一対の脚部であって、それぞれが前記終端部の一端から前記第二方向に延びる一対の脚部を含み、
前記一対の脚部のそれぞれは、前記終端部の前記一端に接続された第一端と、該第一端の反対側の第二端であって、前記設置部を含む第二端とを有する、
請求項４に記載の蓄電装置。
【発明の詳細な説明】
【技術分野】
【０００１】
本発明は、蓄電素子と、該蓄電素子を保持する保持部材とを備えた蓄電装置に関する。
【背景技術】
【０００２】
ハイブリッド自動車や電機自動車等に用いられる組電池は、電池スタック、拘束部材、電池監視基板、バスバーモジュールおよび固定部材を含んで構成される（特許文献１参照）。
【０００３】
電池スタックは、平板状の電池セルを積層して構成される。複数の電池セルは、電気的に直列に接続されている。電池セルは、例えばニッケル水素二次電池、リチウムイオン二次電池および有機ラジカル電池である。
【０００４】
以下、電池セルが積層されている方向を積層方向と称する。積層方向に直交し、長方形状の電池セルの長辺に沿った方向を長手方向と称する。また積層方向に直交し、長方形状の電池セルの短辺に沿った方向を上下方向と称する。
【０００５】
電池セルの外装ケースは、薄い平板状の形態をなす。外装ケースの内部空間には、電極積層体、電解質、端子接続部、正極端子部の一部、及び負極端子部の一部が内蔵されている。
【０００６】
固定部材は、電池スタックを所定の設置箇所に固定するための部材である。固定部材は、電池スタックの積層方向の両面部に設けられる。固定部材は、設置箇所に連結されるとともに、拘束部材の両端部が固定される。固定部材は、第１プレートと第２プレートを含む。第１プレートと第２プレートは、重なった状態で固定されている。内側に位置する第１プレートは、拘束部材と連結される。外側に位置する第２プレートは、設置箇所に固定される。本実施形態では、設置箇所は、組電池の下方に位置している。したがって第２プレートの下方は、外側に屈曲しており、貫通穴が形成されている。この貫通穴に挿通されるボルトによって、設置箇所に固定される。
【０００７】
拘束部材は、電池スタックの両面部を、積層方向に押圧した状態で拘束する。拘束部材は、積層方向の延びる部材であって、両端部が内側に屈曲している。したがって拘束部材は、上下方向に見て断面Ｕ字状に形成されている。この端部が固定部材に固定される。具体的には、第１プレートには穴が形成されており、拘束部材の屈曲部にも穴が形成されている。この穴を挿通してボルトが設けられ、拘束部材と第１プレートとが連結される。またボルトを締め付けることによって、電池スタックを積層方向に押圧することになる。拘束部材は、片側に上下方向に間隔をあけて２本ずつ、合計４本設けられる。
【０００８】
ところで、この種の組電池において、電池スタック（電池セル）は、充放電に伴って積層方向に伸縮する。そのため、電池スタックは、伸長状態になると固定部材を積層方向に付勢する。また、この種の組電池において、振動等を受けたときに、電池スタック（電池セル）が固定部材を積層方向に向けて付勢することもある。
【０００９】
そうすると、設置箇所にボルトを介して固定された固定部材は、該ボルト側（設置箇所側）を支点にして傾倒しようとする。これに伴い、固定部材は、設置箇所（ボルト）側よりも該設置箇所（ボルト）側の反対側の方が積層方向に移動しようとする。そのため、固定部材の設置箇所から遠い位置にある拘束部材に対し、固定部材の設置箇所に近い位置にある拘束部材よりも大きな力（積層方向の力）が積層方向で拘束部材と固定部材とを連結するボルトを介して作用する。
【００１０】
その結果、従来の組電池では、設置箇所から遠い位置にある拘束部材と固定部材との境界周辺（具体的には、拘束部材の屈曲部の基端が位置する稜線周辺）には、設置箇所から近い位置にある拘束部材と固定部材との境界周辺（具体的には、拘束部材の屈曲部の基端が位置する稜線周辺）よりも大きな曲げ応力が作用する。
【００１１】
すなわち、従来の組電池では、それぞれが異なる方向で蓄電素子と並び且つ連結部を介して互いに連結された固定部材と拘束部材との境界周辺に対して局所的な応力集中が生じてしまう。
【先行技術文献】
【特許文献】
【００１２】
【特許文献１】特開２０１７―４８０３号公報
【発明の概要】
【発明が解決しようとする課題】
【００１３】
本実施形態は、それぞれが異なる方向で蓄電素子と並び且つ連結部を介して互いに連結された第一フレームと第二フレームとの境界周辺に対して局所的な応力集中が生じることを抑制することのできる蓄電装置を提供することを課題とする。
【課題を解決するための手段】
【００１４】
本実施形態の蓄電装置は、
少なくとも一つの蓄電素子と、
蓄電素子を保持する保持部材とを備え、
保持部材は、
第一方向で蓄電素子と並ぶ終端部及び第一方向と直交する第二方向の終端部の一端に接続された取付部を含む第一フレームと、
第一方向及び第二方向と直交する第三方向で蓄電素子と並ぶ本体部及び該本体部から延出して少なくとも終端部の外面に沿う延出部を含む第二フレームと、
第一フレームと第二フレームとを第一方向に連結する連結部であって、延出部内で第二方向に間隔をあけて配置される二つ以上の連結部とを備え、
取付部は、取り付けの対象となる固定面に対して固定される設置部を含み、
二つ以上の連結部は、設置部の固定中心を通る第一仮想直線よりも第三方向において外方に配置され、
二つ以上の連結部のうちの最も設置部側にある連結部以外の連結部は、二つ以上の連結部のうちの最も設置部側にある連結部よりも第三方向において外方に配置される。
【００１５】
上記構成によれば、振動等の外的要因や充電時の蓄電素子の膨張等によって蓄電素子が第一フレームの終端部を第一方向に付勢すると、第一フレームは、設置部を支点にして外方に倒れようとする。この状態において、第二方向における第一フレームの設置部側とは反対側（終端部の他端側）の第一方向に変位しようとする量が、第一フレームの設置部側の第一方向に変位しようとする量よりも比例的に多くなる。
【００１６】
しかし、二つ以上の連結部は、設置部の固定中心を通る第一仮想直線よりも第三方向において外方に配置されるため、第一方向における力を伝達する二つ以上の連結部のそれぞれは、延出部と本体部との境界に近い位置にある。これにより、延出部と本体部との境界の曲げモーメントが小さくなる。
【００１７】
その上、二つ以上の連結部のうちの最も設置部側にある連結部以外の連結部は、二つ以上の連結部のうちの最も設置部側にある連結部よりも第三方向において外方に配置されるため、各連結部周辺に作用する力による曲げモーメント（本体部と延出部との接続部分の曲げモーメント）が数値的に近づき、結果的に曲げ応力も数値的に近づく。
【００１８】
具体的には、第一フレームは、蓄電素子によって付勢されるに伴い、終端部の他端側が設置部側よりも大きく傾倒しようとするため、終端部の他端側にある連結部には、設置部側にある連結部に作用する力より大きな力が作用する。これに対し、終端部の他端側にある連結部から本体部と延出部との境界までの距離は、設置部側にある連結部から本体部と延出部との境界までの距離よりも短い。そして、曲げモーメントは、力と距離との積から求められるため、各連結部周辺に作用する力による曲げモーメント（本体部と延出部との接続部分の曲げモーメント）が相互に近づき、結果的に曲げ応力も相互に近づく。従って、それぞれが異なる方向で蓄電素子と並び且つ連結部を介して互いに連結された第一フレームと第二フレームとの境界周辺に対して局所的な応力集中が生じることが抑制される。
【００１９】
本実施形態の一態様として、二つ以上の連結部のうちの最も設置部側にある連結部以外の連結部は、二つ以上の連結部のうちの最も設置部側にある連結部と設置部の固定中心とを結ぶ第二仮想直線の延長線上に配置されてもよい。
【００２０】
上記構成によれば、第二仮想直線は、設置部の固定中心と、該固定中心を通る第一仮想直線よりも外方に配置された連結部とを結ぶ直線であるため、第二方向で固定中心から遠ざかるにつれて、固定中心を通る第一仮想直線に対して比例的に離間する。すなわち、第二仮想直線は、第一仮想直線に対して傾斜し、本体部と延出部との境界に対して比例的に接近する。また、第二仮想直線の延長線も同様である。
【００２１】
従って、第二仮想直線の延長線の始点及び該延長線上に配置された二つ以上の連結部のそれぞれから本体部と延出部との境界までの距離は、第二方向における二つ以上の連結部のそれぞれの位置に応じた距離となる。すなわち、第二方向において固定位置から遠い位置にある連結部ほど、本体部と延出部との境界までの距離が短くなる。
【００２２】
これに対し、第一フレームの傾倒に伴って作用する第一方向の力は、第二方向において固定位置から遠い位置ほど比例的に大きくなる。
【００２３】
従って、上記構成の蓄電装置は、各連結部に作用する第一方向の力と各連結部から本体部と延出部との境界までの第三方向における距離とのバランスが得られる結果、本体部と延出部との境界における各連結部と対応する位置での曲げモーメントの値が近づく或いは均一化される。これにより、各連結部と対応する位置での曲げ応力の値も近づく或いは均一化される。
【００２４】
本実施形態の他態様として、二つ以上の連結部のうちの最も終端部の他端側にある連結部以外の連結部は、二つ以上の連結部のうちの最も終端部の他端側にある連結部と設置部の固定中心とを結ぶ第二仮想直線上に配置されてもよい。
【００２５】
上記構成によれば、第二仮想直線は、設置部の固定中心と、該固定中心を通る第一仮想直線よりも外方に配置された連結部とを結ぶ直線であるため、第二方向において固定中心から遠ざかるにつれて、固定中心を通る第一仮想直線に対して比例的に離間する。すなわち、第二仮想直線は、第一仮想直線に対して傾斜し、本体部と延出部との境界に対して比例的に接近する。
【００２６】
従って、第二仮想直線上に配置された二つ以上の連結部のそれぞれから本体部と延出部との境界までの距離は、第二方向における二つ以上の連結部のそれぞれの位置に応じた距離となる。すなわち、第二方向において固定位置から遠い位置にある連結部ほど、本体部と延出部との境界までの距離が短くなる。
【００２７】
これに対し、第一フレームの傾倒に伴って作用する第一方向の力は、第二方向において固定位置から遠い位置ほど比例的に大きくなる。
【００２８】
従って、上記構成の蓄電装置は、各連結部に作用する第一方向の力と各連結部から本体部と延出部との境界までの第三方向における距離とのバランスが得られる結果、本体部と延出部との境界における各連結部と対応する位置での曲げモーメントの値が近づく或いは均一化される。これにより、各連結部と対応する位置での曲げ応力の値も近づく或いは均一化される。
【００２９】
これらにおいて、
第一フレームは、第一方向で少なくとも一つの蓄電素子の両側に一対配置され、
第二フレームは、第三方向で少なくとも一つの蓄電素子の両側に一対配置され、
一対の第二フレームのうちの一方の第二フレームと第一フレームとを連結する二つ以上の連結部と、一対の第二フレームのうちの他方の第二フレームと第一フレームとを連結する二つ以上の連結部とは、第一フレームの終端部の第二方向に延びる中心線を基準に対称的に配置されてもよい。
【００３０】
上記構成によれば、第一フレームの終端部に作用した蓄電素子の付勢力が、一方の第二フレーム側と他方の第二フレーム側とに均等又は略均等に作用する。これにより、第一フレームと一方の第二フレームとの境界周辺の曲げモーメント（曲げ応力）の値と、第一フレームと他方の第二フレームとの境界周辺の曲げモーメント（曲げ応力）の値とが均一化される。従って、第一フレームと第二フレームとを連結する何れかの連結部周辺に応力が集中することが抑制される。
【００３１】
この場合、
取付部は、
第三方向に間隔をあけて配置された一対の脚部であって、それぞれが終端部の一端から第二方向に延びる一対の脚部を含み、
一対の脚部のそれぞれは、終端部の一端に接続された第一端と、該第一端の反対側の第二端であって、設置部を含む第二端とを有してもよい。
【００３２】
このようにすれば、一対の脚部によって終端部が固定面から離れた位置に配置されるため、終端部に対して第一方向に並ぶ蓄電素子も固定面から離れた位置に配置される。これにより、蓄電素子の放熱性が向上する。
【００３３】
そして、上述の如く、脚部の存在によって固定面から離れた位置にある終端部に対し、蓄電素子による付勢力が作用すると、脚の長さに応じた傾倒が生じるため、二つ以上の連結部のそれぞれでの応力（曲げモーメント）のばらつきが生じやすい。
【００３４】
しかしながら、本実施形態によれば、上述の如く、各連結部に作用する第一方向の力と第一方向の各連結部から本体部と延出部との境界までの第三方向における距離とのバランスが得られる結果、本体部と延出部との境界における各連結部と対応する位置での曲げモーメントの値が近づく或いは均一化される。従って、第一フレームが終端部を固定面から離れた位置に配置する脚部を有していても、二つ以上の連結部のそれぞれと対応する位置での曲げ応力の値が近づく或いは均一化される。
【発明の効果】
【００３５】
本実施形態によれば、それぞれが異なる方向で蓄電素子と並び且つ連結部を介して互いに連結された第一フレームと第二フレームとの境界周辺に対して局所的な応力集中が生じることを抑制することができるという優れた効果を奏し得る。
【図面の簡単な説明】
【００３６】
【図１】図１は、本実施形態に係る蓄電装置の斜視図である。
【図２】図２は、前記蓄電装置の分解斜視図である。
【図３】図３は、前記蓄電装置の正面図である。
【図４】図４は、前記蓄電装置における第一フレームの斜視図である。
【図５】図５は、前記蓄電装置を取り付けの対象の固定面に固定した状態の側面図である。
【図６】図６は、前記蓄電装置を取り付けの対象の固定面に固定した状態の部分正面図である。
【図７】図７は、前記第一フレームの第二方向（Ｚ軸方向）における各位置と、第二方向（Ｚ軸方向）における各位置が第一方向（Ｘ軸方向）に変位しようとする量との関係を概略的に示すグラフである。
【図８】図８は、前記第一フレームの第二方向（Ｚ軸方向）における各位置と、第二方向（Ｚ軸方向）における各位置に作用する第一方向（Ｘ軸方向）の力との関係を概略的に示すグラフである。
【図９】図９は、他実施形態に係る蓄電装置を取り付けの対象の固定面に固定した状態の側面図である。
【発明を実施するための形態】
【００３７】
以下、本発明の一実施形態について、添付図面を参照しつつ説明する。尚、本実施形態の各構成部材（各構成要素）の名称は、本実施形態におけるものであり、背景技術における各構成部材（各構成要素）の名称と異なる場合がある。
【００３８】
図１〜図３に示すように、蓄電装置１は、少なくとも一つの蓄電素子２と、少なくとも一つの蓄電素子２を保持する保持部材４とを備える。また、蓄電装置１は、蓄電素子２と隣り合う隣接部材３を備える。また、蓄電装置１は、少なくとも一つの蓄電素子２と保持部材４との間に配置されるインシュレータ５と、異なる蓄電素子２同士又は蓄電素子２と外部入出力用端子（採番しない）等とを導通可能に接続するバスバ６（図１及び図２参照）とを備える。
【００３９】
本実施形態の蓄電装置１は、蓄電素子２を複数備える。複数の蓄電素子２は、第一方向に並ぶ。なお、以下の説明において、複数の蓄電素子２が並ぶ方向（第一方向）をＸ軸方向とし、Ｘ軸方向と直交する方向（第二方向）をＺ軸方向とし、Ｘ軸方向及びＺ軸方向と直交する方向（第三方向）をＹ軸方向とする。これに伴い、各図には、Ｘ軸方向、Ｙ軸方向、及びＺ軸方向と対応する直交座標（Ｘ軸、Ｙ軸、Ｚ軸が直交する座標）を便宜上図示している。
【００４０】
複数の蓄電素子２のそれぞれは、一次電池、二次電池、キャパシタ等である。本実施形態の蓄電素子２は、充放電可能な非水電解質二次電池である。より具体的には、蓄電素子２は、リチウムイオンの移動に伴って生じる電子移動を利用したリチウムイオン二次電池である。この蓄電素子２は、いわゆる角型のリチウムイオン二次電池である。
【００４１】
複数の蓄電素子２のそれぞれは、図２に示す如く、電極体（図示しない）と、電極体を電解液と共に収容するケース２１と、少なくとも一部がケース２１の外側に露出する外部端子２２とを有する。
【００４２】
ケース２１は、開口を有するケース本体２１１と、ケース本体２１１の開口を塞ぐ（閉じる）板状の蓋板２１６とを有する。本実施形態のケース本体２１１は、有底角筒状であり、ケース２１は、扁平な直方体形状である。ケース本体２１１は、矩形板状の閉塞部２１２と、閉塞部２１２の周縁に接続される筒状の胴部（周壁）２１３とを備える。胴部２１３は、偏平な角筒形状を有する。この胴部２１３は、閉塞部２１２の周縁における長辺から延びる一対の長壁部２１４と、閉塞部２１２の周縁における短辺から延びる一対の短壁部２１５とを有する。短壁部２１５が一対の長壁部２１４の対応する端部同士をそれぞれ接続することによって、扁平な角筒状の胴部２１３が形成される。蓋板２１６は、ケース本体２１１の開口を塞ぐ矩形板状の部材である。この蓋板２１６には、一対の外部端子２２が配置されている。
【００４３】
本実施形態の蓄電装置１では、複数の蓄電素子２は、上述の如く、Ｘ軸方向に並んでいる。複数の蓄電素子２のそれぞれは、ケース２１（ケース本体２１１）の長壁部２１４をＸ軸方向に向けている。
【００４４】
隣接部材３は、Ｘ軸方向に並ぶ二つの蓄電素子２の間、又は、Ｘ軸方向の最も端の蓄電素子２と該蓄電素子２に対してＸ軸方向に並ぶ部材（本実施形態の例では、保持部材４の一部）との間に配置される。この隣接部材３は、樹脂等の絶縁性を有する部材によって構成される。また、隣接部材３は、隣接する蓄電素子２との間に該蓄電素子２の温度調整用の流体が流通可能な流路を形成する。
【００４５】
保持部材４は、金属等の導電性を有する部材によって構成されている。保持部材４は、図１〜図３に示す如く、複数の蓄電素子２と複数の隣接部材３との周囲を囲むことにより、これら複数の蓄電素子２及び複数の隣接部材３をひとまとめに保持する。
【００４６】
より具体的に説明する。図１及び図２に示す如く、保持部材４は、Ｘ軸方向で蓄電素子２と並ぶ終端部４００及びＺ軸方向の終端部４００の一端に接続された取付部４０１を含む第一フレーム４０と、Ｙ軸方向で蓄電素子２と並ぶ本体部４１０及び該本体部４１０から延出して少なくとも終端部４００の外面に沿う延出部４１１を含む第二フレーム４１と、第一フレーム４０と第二フレーム４１とをＸ軸方向に連結する連結部４２であって、延出部４１１内でＺ軸方向に間隔をあけて配置される二つ以上の連結部４２とを備える。
【００４７】
本実施形態に係る保持部材４において、第一フレーム４０は、Ｘ軸方向で少なくとも一つの蓄電素子２の両側に一対配置され、第二フレーム４１は、Ｙ軸方向で少なくとも一つの蓄電素子２の両側に一対配置される。すなわち、保持部材４は、Ｘ軸方向において複数の蓄電素子２の両側に配置される一対の第一フレーム４０と、Ｙ軸方向で複数の蓄電素子２の両側に配置され、Ｙ軸方向における第一フレーム４０の端部同士を接続する一対の第二フレーム４１とを有する。
【００４８】
一対の第一フレーム４０のそれぞれにおいて、終端部４００は、図４に示す如く、Ｘ軸方向において蓄電素子２側を向く第一面と、Ｘ軸方向において蓄電素子２側とは反対側（外側）を向く第二面とを有する。なお、本実施形態の終端部４００は、複数の部材（本実施形態においては二つの部材）がＸ軸方向に重ね合わされることで構成されている。これに伴い、終端部４００の第一面は、Ｘ軸方向において最も端にある一方の部材の外面であり、終端部４００の第二面は、Ｘ軸方向において最も端にある他方の部材の外面である。
【００４９】
終端部４００は、Ｙ軸方向の両端部のそれぞれに、Ｘ軸方向に貫通する穴４０２ａ，４０２ｂを有する。この穴４０２ａ，４０２ｂには、連結部４２を構成するボルト４２０（図２参照）が挿通される。本実施形態において、Ｙ軸方向における終端部４００の両端部のそれぞれには、Ｚ軸方向に間隔をあけた二つの穴４０２ａ，４０２ｂが設けられる。
【００５０】
Ｙ軸方向における終端部４００の両端部のそれぞれにおいて、Ｚ軸方向に間隔をあけた二つの穴４０２ａ，４０２ｂのうち、Ｚ軸方向における終端部４００の他端側にある穴４０２ａは、Ｚ軸方向における終端部４００の一端側にある穴４０２ａよりもＹ軸方向の外方に配置されている。本実施形態において、Ｙ軸方向における終端部４００の両端部にある穴４０２ａ，４０２ｂは、終端部４００のＺ軸方向に延びる中心線ＣＬを基準に対称に配置される。
【００５１】
取付部４０１は、取り付けの対象となる固定面に対して固定される設置部４０１ａを含む。本実施形態において、取付部４０１は、Ｙ軸方向に間隔をあけて配置された一対の脚部４０１ｂ，４０１ｂを含む。一対の脚部４０１ｂ，４０１ｂのそれぞれは、終端部４００の一端からＺ軸方向に延びる。一対の脚部４０１ｂ，４０１ｂのそれぞれは、終端部４００の一端に接続された第一端と、該第一端の反対側の第二端を有する。脚部４０１ｂの第二端は、設置部４０１ａを含む。
【００５２】
本実施形態において、脚部４０１ｂの第二端を含む端部は、第一端側に対して屈曲し、Ｚ軸方向において外方に向く設置面を有する設置部４０１ａを構成する。設置部４０１ａには、取り付けの対象となる固定面（例えば、自動車のシャーシ又はシャーシに固定された取付金具の外面）に対して固定可能に構成される。本実施形態において、設置部４０１ａは、Ｚ軸方向に延びる軸中心を有するボルトによって固定面に固定される。
【００５３】
これに伴い、設置部４０１ａには、ボルトの軸部を挿通する穴４０３が、Ｚ軸方向に貫通して設けられている。かかる構成により、穴４０３の穴中心或いは穴４０３に挿通されたボルトの軸中心が設置部４０１ａの固定中心となる。一方の脚部４０１ｂの設置部４０１ａの固定中心は、Ｘ軸方向から見て、Ｙ軸方向における終端部４００の一方の端部内にある二つの穴４０２ａ，４０２ｂを結ぶ仮想線の延長線と重なる位置に配置される。また、他方の脚部４０１ｂの設置部４０１ａの固定中心は、Ｘ軸方向から見て、Ｙ軸方向における終端部４００の他方の端部内にある二つの穴４０２ａ，４０２ｂを結ぶ仮想線の延長線と重なる位置に配置される。
【００５４】
すなわち、Ｙ軸方向における終端部４００の一方の端部にある二つの穴４０２ａ，４０２ｂは、終端部４００の一方の端部側にある一方の脚部４０１ｂの設置部４０１ａの固定中心を通る第一仮想直線ＶＬ１よりもＹ軸方向において外方に配置される。また、Ｙ軸方向における終端部４００の他方の端部にある二つの穴４０２ａ，４０２ｂは、終端部４００の他方の端部側にある他方の脚部４０１ｂの設置部４０１ａの固定中心を通る第一仮想直線ＶＬ１よりもＹ軸方向において外方に配置される。
【００５５】
そして、Ｙ軸方向における終端部４００の各端部にある二つの穴４０２ａ，４０２ｂのうちの最も設置部４０１ａ側にある穴４０２ｂ以外の穴４０２ａは、二つの穴４０２ａ，４０２ｂのうちの最も設置部４０１ａ側にある穴４０２ｂよりもＹ軸方向において外方に配置される。本実施形態において、Ｙ軸方向における終端部４００の各端部にある二つの穴４０２ａ，４０２ｂのうちの最も設置部４０１ａ側にある穴４０２ｂ以外の穴４０２ａは、Ｙ軸方向における終端部４００の各端部にある二つの穴４０２ａ，４０２ｂのうちの最も設置部４０１ａ側にある穴４０２ｂと、該穴４０２ｂのある端部と対応する脚部４０１ｂの設置部４０１ａの固定中心とを結ぶ第二仮想直線ＶＬ２の延長線ＥＬ上に配置される。
【００５６】
なお、本実施形態において、設置部４０１ａは、終端部４００からＸ軸方向において外方に突出しており、固定中心が終端部４００に対してＸ軸方向に位置ずれしている。これに伴い、ここで提議している第一仮想直線ＶＬ１、第二仮想直線ＶＬ２、及び延長線ＥＬの関係（穴４０２ａ，４０２ｂと固定中心との配置の基準）は、Ｘ軸方向から見た関係（Ｘ軸方向の位置ずれを無視した平面的な関係）である。
【００５７】
図２に戻り、一対の第一フレーム４０のそれぞれは、それぞれの終端部４００によって複数の蓄電素子２を挟み込むように配置される。本実施形態の蓄電装置１は、隣接部材３を備えるため、蓄電素子２と隣接部材３とがＸ軸方向において交互に配置される。これに伴い、一対の第一フレーム４０は、それぞれの終端部４００によって蓄電素子２と隣接部材３との積層体をＸ軸方向で挟み込むように配置される。
【００５８】
なお、蓄電素子２と隣接部材３との積層体において、Ｘ軸方向の両端に隣接部材３が位置している。これにより、第一フレーム４０の終端部４００は、隣接部材３を挟んで蓄電素子２と並んでいる。
【００５９】
一対の第二フレーム４１は、上述の如く、Ｙ軸方向において複数の蓄電素子２の両側に配置される。一対の第二フレーム４１のそれぞれは、Ｙ軸方向で蓄電素子２と並ぶ本体部４１０と、該本体部４１０からＹ軸方向に延出して少なくとも終端部４００の外面に沿う延出部４１１とを含む。また、一対の第二フレーム４１のそれぞれは、本体部４１０における延出部４１１とは異なる位置からＹ軸方向に延びて蓄電素子２（ケース２１の閉塞部２１２）の外面に沿う第一延設部４１２と、第一延設部４１２からＺ軸方向の外方に延びる第二延設部４１３とを有する。本実施形態の第二フレーム４１は、金属プレートをプレス成型したもので、全体（本体部４１０、延出部４１１、第一延設部４１２、第二延設部４１３）が一体成型されている。
【００６０】
一対の第二フレーム４１のそれぞれにおいて、本体部４１０は、Ｘ軸方向に長手を有する。本実施形態の本体部４１０は、梯子状に形成されている。
【００６１】
一対の第二フレーム４１のそれぞれは、Ｘ軸方向の両端部のそれぞれに延出部４１１を有する。即ち、一対の第二フレーム４１のそれぞれは、一対の延出部４１１を有する。
【００６２】
延出部４１１は、Ｙ軸方向における第一フレーム４０の端部（終端部４００の端部）に連結される部位である。すなわち、延出部４１１は、Ｙ軸方向における第一フレーム４０の端部（終端部４００の端部）に対して外方側から重ね合わされる部位であり、該重ね合わされた終端部４００に対してＸ軸方向に連結される。
【００６３】
これに伴い、第二フレーム４１の延出部４１１は、Ｙ軸方向及びＺ軸方向に広がり且つＺ軸方向に長手を有する板状に形成される。また、延出部４１１は、Ｙ軸方向における第一フレーム４０（終端部４００）の端部に設けられた穴４０２ａ，４０２ｂと対応する位置（Ｘ軸方向から見て重なる位置）に穴４１４ａ，４１４ｂを有する。
【００６４】
本実施形態において、Ｙ軸方向における第一フレーム４０（終端部４００）の両端部のそれぞれに対してＺ軸方向に間隔をあけて配置される二つの穴４０２ａ，４０２ｂが設けられているため、延出部４１１にも、Ｚ軸方向に間隔をあけた二つの穴４１４ａ，４１４ｂが設けられている。
【００６５】
延出部４１１の二つの穴４１４ａ，４１４ｂについても、Ｙ軸方向において位置ずれしている。すなわち、延出部４１１の二つの穴４１４ａ，４１４ｂのうち一方の穴４１４ａ（Ｚ軸方向を上下方向としたときに上側に位置する穴４１４ａ）は、延出部４１１の二つの穴４１４ａ，４１４ｂのうち他方の穴４１４ｂ（Ｚ軸方向を上下方向としたときに下側に位置する穴４１４ｂ）よりもＹ軸方向において外側に位置している。
【００６６】
本実施形態において、連結部４２は、軸状の雄ネジ部（採番しない）を有するボルト４２０と、該ボルト４２０の雄ネジ部に螺合される雌ネジ部（ネジ穴）を有するナット４２１とで構成される。本実施形態において、連結部４２のナット４２１は、自身の雌ネジ部（ネジ穴）を第一フレーム４０（終端部４００）の穴４０２ａ，４０２ｂに合わせた状態で、該終端部４００の第一面に固着（本実施形態では溶接）されている。
【００６７】
本実施形態の蓄電装置１では、連結部４２を構成するボルト４２０の雄ネジ部は、第二フレーム４１の延出部４１１の穴４１４ａ，４１４ｂ及び該延出部４１１を重ねた第一フレーム４０の終端部４００の端部の穴４０２ａ，４０２ｂに挿通された上で、ナット４２１（雌ネジ部）に螺合される。これにより、連結部４２（ボルト４２０及びナット４２１）は、終端部４００と延出部４１１とをＸ軸方向に連結する。すなわち、各連結部４２は、Ｘ軸方向の力を終端部４００及び延出部４１１に伝達する力点となる。
【００６８】
このようにボルト４２０が終端部４００の穴４０２ａ，４０２ｂ及び延出部４１１の穴４１４ａ，４１４ｂに挿通されるため、終端部４００の端部に重ね合わされた延出部４１１内にある二つの連結部４２は、終端部４００の穴４０２ａ，４０２ｂの配置と対応した配置になる。すなわち、二つの連結部４２は、図５に示す如く、設置部４０１ａの固定中心を通る第一仮想直線ＶＬ１よりもＹ軸方向において外方に配置される。
【００６９】
本実施形態において、延出部４１１内にある二つの連結部４２のうちの最も設置部４０１ａ側にある連結部４２以外の連結部４２は、二つの連結部４２のうちの最も設置部４０１ａ側にある連結部４２よりもＹ軸方向において外方に配置される。また、本実施形態において、延出部４１１内にある二つの連結部４２のうちの最も設置部４０１ａ側にある連結部４２以外の連結部４２は、二つの連結部４２のうちの最も設置部４０１ａ側にある連結部４２と設置部４０１ａの固定中心とを結ぶ第二仮想直線ＶＬ２の延長線ＥＬ上に配置される。
【００７０】
なお、上述の如く、設置部４０１ａは、終端部４００からＸ軸方向において外方に突出しており、設置部４０１ａの固定中心が終端部４００（連結部４２）に対してＸ軸方向に位置ずれしている。これに伴い、ここで定義している第一仮想直線ＶＬ１、第二仮想直線ＶＬ２、及び延長線ＥＬの関係（連結部４２と固定中心との配置の基準）についても、図５からも明らかなように、Ｘ軸方向から見た関係（Ｘ軸方向の位置ずれを無視した平面的な関係）である。また、ここでの「延長線ＥＬ上に配置」とは、Ｘ軸方向から見た状態を前提に、連結部４２の中心（本実施形態においてはボルト４２０の雄ネジ部の軸中心）が延長線ＥＬ上に位置することは勿論のこと、延出部４１１に対して連結部４２のＸ軸方向の力を伝達する領域（本実施形態においては、ボルト４２０の頭部及びナットの存在する領域）の何れかの位置を延長線ＥＬが通ることを含む。
【００７１】
ここで、第二仮想直線ＶＬ２（延長線ＥＬ）の傾きが蓄電素子２の付勢に伴って傾倒しようとする第一フレーム４０の各位置（Ｚ軸方向の位置）におけるＸ軸方向に変位しようとする量の変化を表す傾斜の傾き（図７参照）と近似する傾き或いは同一の傾きになるように、二つの連結部４２のうちの最も設置部４０１ａ側にある連結部４２が配置されることが好ましい。すなわち、第二仮想直線ＶＬ２（延長線ＥＬ）の傾きが蓄電素子２の付勢に伴って傾倒しようとする第一フレーム４０の各位置（Ｚ軸方向の位置）で作用するＸ軸方向の力の変化を表す傾斜の傾き（図８参照）と近似した傾き或いは同一の傾きになるように、二つの連結部４２のうちの最も設置部４０１ａ側にある連結部４２が配置されることが好ましい。
【００７２】
本実施形態において、一対の第二フレーム４１のうちの一方の第二フレーム４１と第一フレーム４０とを連結する二つ以上の連結部４２と、一対の第二フレーム４１のうちの他方の第二フレーム４１と第一フレーム４０とを連結する二つ以上の連結部４２とは、第一フレーム４０の終端部４００のＺ軸方向に延びる中心線ＣＬを基準に対称的に配置される。
【００７３】
図２に戻り、インシュレータ５は、絶縁性を有し、第二フレーム４１と複数の蓄電素子２との間に配置される。このインシュレータ５は、第二フレーム４１における少なくとも複数の蓄電素子２と対向する領域を覆う。具体的に、本実施形態のインシュレータ５は、本体部４１０における各蓄電素子２を向いた面、第一延設部４１２における各蓄電素子２を向いた面、及び、第二延設部４１３におけるＹ軸方向の内側を向いた面を少なくとも覆う。これにより、インシュレータ５は、第二フレーム４１と、複数の蓄電素子２との間を絶縁する。
【００７４】
バスバ６は、金属等の導電性を有する板状の部材である。バスバ６は、蓄電素子２の外部端子２２同士、又は、蓄電素子２の外部端子２２と外部入出力用端子（採番しない）とを導通させる。バスバ６は、蓄電装置１において複数（複数の蓄電素子２の数及び外部入出力用端子の数と対応する数）設けられる。本実施形態の複数のバスバ６は、蓄電装置１に含まれる複数の蓄電素子２の全てを直列に接続する（導通させる）。
【００７５】
以上のように、本実施形態の蓄電装置１は、少なくとも一つの蓄電素子２と、蓄電素子２を保持する保持部材４とを備え、保持部材４は、Ｘ軸方向で蓄電素子２と並ぶ終端部４００及びＺ軸方向の終端部４００の一端に接続された取付部４０１を含む第一フレーム４０と、Ｙ軸方向で蓄電素子２と並ぶ本体部４１０及び該本体部４１０から延出して少なくとも終端部４００の外面に沿う延出部４１１を含む第二フレーム４１と、第一フレーム４０と第二フレーム４１とをＸ軸方向に連結する連結部４２であって、延出部４１１内でＺ軸方向に間隔をあけて配置される二つ以上の連結部４２とを備え、取付部４０１は、取り付けの対象となる固定面に対して固定される設置部４０１ａを含み、二つ以上の連結部４２は、設置部４０１ａの固定中心を通る第一仮想直線ＶＬ１よりもＹ軸方向において外方に配置され、二つ以上の連結部４２のうちの最も設置部４０１ａ側にある連結部４２以外の連結部４２は、二つ以上の連結部４２のうちの最も設置部４０１ａ側にある連結部４２よりもＹ軸方向において外方に配置される。
【００７６】
上記構成によれば、図６に示す如く、振動等の外的要因や充電時の蓄電素子２の膨張等によって蓄電素子２が第一フレーム４０の終端部４００をＸ軸方向に付勢すると、その付勢力Ｆの作用によって、第一フレーム４０は、設置部４０１ａを支点にして外方に倒れようとする。そうすると、図７に示すように、Ｚ軸方向における第一フレーム４０の設置部４０１ａ側とは反対側（終端部４００の他端側）のＸ軸方向に変位しようとする量が、第一フレーム４０の設置部４０１ａ側のＸ軸方向に変位しようとする量よりも比例的に多くなる。これに伴い、図８に示すように、傾倒の支点となる設置部４０１ａから離れた位置ほどＸ軸方向に作用する力が大きくなる。すなわち、Ｘ軸方向の力は、設置部４０１ａから終端部４００の他端に向かうにつれて比例的に大きくなる。
【００７７】
しかし、上記構成によれば、二つ以上の連結部４２は、図５に示す如く、設置部４０１ａの固定中心を通る第一仮想直線ＶＬ１よりもＹ軸方向において外方に配置されるため、Ｘ軸方向の力を伝達する各連結部４２は、延出部４１１と本体部４１０との境界Ｅに近い位置にある。これにより、延出部４１１と本体部４１０との境界Ｅの曲げモーメントの値が小さくなる。
【００７８】
その上、二つ以上の連結部４２のうちの最も設置部４０１ａ側にある連結部４２以外の連結部４２は、二つ以上の連結部４２のうちの最も設置部４０１ａ側にある連結部４２よりもＹ軸方向において外方に配置されるため、各連結部４２周辺に作用する力による曲げモーメント（本体部４１０と延出部４１１との接続部分の曲げモーメント）の値が相互に近づき、結果的に曲げ応力の値も相互に近づく。
【００７９】
具体的には、第一フレーム４０は、蓄電素子２によって付勢されるに伴い、終端部４００の他端側が一端側よりも大きく傾倒しようとするため、終端部４００の他端側にある一方の連結部４２には、設置部４０１ａ側にある他方の連結部４２に作用する力より大きな力が作用する（図８参照）。これに対し、終端部４００の他端側にある一方の連結部４２から本体部４１０と延出部４１１との境界Ｅまでの距離は、設置部４０１ａ側にある他方の連結部４２から本体部４１０と延出部４１１との境界Ｅまでの距離よりも短い（図５参照）。そして、曲げモーメントは、力と距離との積から求められるため、各連結部４２周辺に作用する力による曲げモーメント（本体部４１０と延出部４１１との接続部分の曲げモーメント）が数値的に近づき、結果的に曲げ応力も数値的に近づく。従って、それぞれが異なる方向で蓄電素子２と並び且つ連結部４２を介して互いに連結された第一フレーム４０と第二フレーム４１との境界周辺に対して局所的な応力集中が生じることが抑制される。
【００８０】
特に、本実施形態において、二つ以上の連結部４２のうちの最も設置部４０１ａ側にある連結部４２以外の連結部４２は、二つ以上の連結部４２のうちの最も設置部４０１ａ側にある連結部４２と設置部４０１ａの固定中心とを結ぶ第二仮想直線ＶＬ２の延長線ＥＬ上に配置されている。
【００８１】
上記構成によれば、第二仮想直線ＶＬ２は、設置部４０１ａの固定中心と、該固定中心を通る第一仮想直線ＶＬ１よりも外方に配置された連結部４２とを結ぶ直線であるため、図５に示す如く、Ｚ軸方向において設置部４０１ａの固定中心から遠ざかるにつれて、設置部４０１ａの固定中心を通る第一仮想直線ＶＬ１に対して比例的に離間する。すなわち、第二仮想直線ＶＬ２は、第一仮想直線ＶＬ１に対して傾斜し、本体部４１０と延出部４１１との境界Ｅに対して比例的に接近する。また、第二仮想直線ＶＬ２の延長線ＥＬも同様である。
【００８２】
従って、第二仮想直線ＶＬ２の延長線ＥＬの始点及び該延長線ＥＬ上に配置された二つ以上の連結部４２のそれぞれから本体部４１０と延出部４１１との境界Ｅまでの距離は、Ｚ軸方向における二つ以上の連結部４２のそれぞれの位置に応じた距離となる。すなわち、Ｚ軸方向において設置部４０１ａの固定位置から遠い位置にある連結部４２ほど、本体部４１０と延出部４１１との境界Ｅまでの距離が比例的に短くなる。
【００８３】
これに対し、第一フレーム４０の傾倒に伴って作用するＸ軸方向の力は、図８に示す如く、Ｚ軸方向において設置部４０１ａの固定位置から遠い位置ほど比例的に大きくなる。
【００８４】
従って、上記構成の蓄電装置１は、各連結部４２に作用するＸ軸方向の力と、各連結部４２から本体部４１０と延出部４１１との境界Ｅまでの距離とのバランスが得られる結果、本体部４１０と延出部４１１との境界Ｅにおける各連結部４２と対応する位置での曲げモーメントが近づく或いは均一化される。これにより、各連結部４２と対応する位置での曲げ応力も近づく或いは均一化される。
【００８５】
また、本実施形態において、第一フレーム４０は、Ｘ軸方向で少なくとも一つの蓄電素子２の両側に一対配置され、第二フレーム４１は、Ｙ軸方向で少なくとも一つの蓄電素子２の両側に一対配置され、一対の第二フレーム４１のうちの一方の第二フレーム４１と第一フレーム４０とを連結する二つ以上の連結部４２と、一対の第二フレーム４１のうちの他方の第二フレーム４１と第一フレーム４０とを連結する二つ以上の連結部４２とは、第一フレーム４０の終端部４００のＺ軸方向に延びる中心線ＣＬを基準に対称的に配置されている。
【００８６】
上記構成によれば、第一フレーム４０の終端部４００に作用した蓄電素子２の付勢力Ｆが、一方の第二フレーム４１側と他方の第二フレーム４１側に均等又は略均等に作用する。これにより、第一フレーム４０と一方の第二フレーム４１との境界Ｅ周辺の曲げモーメント（曲げ応力）と、第一フレーム４０と他方の第二フレーム４１との境界Ｅ周辺の曲げモーメント（曲げ応力）とが均一化される。従って、第一フレーム４０と第二フレーム４１とを連結する何れかの連結部４２周辺に応力が集中することが抑制される。
【００８７】
また、本実施形態において、取付部４０１は、Ｙ軸方向に間隔をあけて配置された一対の脚部４０１ｂであって、それぞれが終端部４００の一端からＺ軸方向に延びる一対の脚部４０１ｂを含み、一対の脚部４０１ｂのそれぞれは、終端部４００の一端に接続された第一端と、該第一端の反対側の第二端であって、設置部４０１ａを含む第二端とを有する。
【００８８】
このようにすれば、一対の脚部４０１ｂによって終端部４００が固定面からＺ軸方向の離れた位置に配置されため、終端部４００に対してＸ軸方向に並ぶ蓄電素子２も固定面からＺ軸方向の離れた位置に配置される。これにより、蓄電素子２の放熱性が向上する。
【００８９】
そして、上述の如く、脚部４０１ｂの存在によって固定面から離れた位置にある終端部４００に対し、蓄電素子２による付勢力Ｆが作用すると、脚の長さに応じた傾倒が生じるため、二つ以上の連結部４２のそれぞれでの応力（曲げモーメント）のばらつきが生じやすい。
【００９０】
しかしながら、本実施形態によれば、上述の如く、各連結部４２に作用するＸ軸方向の力と、各連結部４２から本体部４１０と延出部４１１との境界Ｅまでの距離とのバランスが得られる結果、本体部４１０と延出部４１１との境界Ｅにおける各連結部４２と対応する位置での曲げモーメントが近づく或いは均一化される。従って、第一フレーム４０が終端部４００を固定面から離れた位置に配置する脚部４０１ｂを有していても、二つ以上の連結部４２のそれぞれと対応する位置での曲げ応力が近づく或いは均一化される。
【００９１】
従って、本実施形態に係る蓄電装置１によれば、それぞれが異なる方向で蓄電素子２と並び且つ連結部４２を介して互いに連結された第一フレーム４０と第二フレーム４１との境界Ｅ周辺に対して局所的な応力集中が生じることを抑制することができるという優れた効果を奏し得る。
【００９２】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００９３】
上記実施形態の蓄電装置１において、第一フレーム４０と第二フレーム４１とを連結する連結部４２がボルト４２０及びナット４２１で構成されたが、これに限定されない。例えば、連結部４２は、リベット等の締結部材であってもよい。また、連結部４２は、終端部４００と延出部４１１とを溶着させた溶接部であってもよい。なお、これらの場合において、連結部４２がリベット等の締結部材とされた場合、Ｘ軸方向の力を伝達する領域は、締結部材の頭部やかしめ（変形拡大部）の存在する領域であり、連結部４２が溶接部である場合には、終端部４００と延出部４１１とが物理的に接続されている溶接領域となる。従って、第二仮想直線ＶＬ２の延長線ＥＬ上に連結部４２を配置する場合、締結部材の頭等の存在する領域や溶接領域に延長線ＥＬが通ればよい。
【００９４】
上記実施形態において、連結部４２を構成するナット４２１が、第一フレーム４０に溶接されたが、これに限定されない。例えば、連結部４２を構成するナット４２１は、第一フレーム４０の終端部４００に対して別個独立したものであってもよい。
【００９５】
上記実施形態の第一フレーム４０（終端部４００）は、複数の部材が重ねられた積層構造であるが、これに限定されない。第一フレーム４０（終端部４００）は、一層構造でもよい。すなわち、第一フレーム４０は、第二フレーム４１と同様に全体が一体成型されたものであってもよい。
【００９６】
上記実施形態において、Ｙ軸方向における終端部４００の端部に二つの連結部４２が設けられたが、これに限定されない。例えば、Ｙ軸方向における終端部４００の端部に対し、連結部４２が三つ以上設けられてもよい。この場合においても、三つ以上の連結部４２は、Ｙ軸方向において第一仮想直線ＶＬ１よりも外方に配置され、二つ以上の連結部４２のうちの最も設置部４０１ａ側にある連結部４２以外の連結部４２は、二つ以上の連結部４２のうちの最も設置部４０１ａ側にある連結部４２よりもＹ軸方向において外方に配置されることは勿論である。
【００９７】
上記実施形態において、二つ以上の連結部４２のうちの最も設置部４０１ａ側にある連結部４２と設置部４０１ａの固定中心とを結ぶ第二仮想直線ＶＬ２の延長線ＥＬ上に配置されたが、これに限定されない。例えば、図９に示す如く、二つ以上の連結部４２のうちの最も終端部４００の他端側にある連結部４２以外の連結部４２が、二つ以上の連結部４２のうちの最も終端部４００の他端側にある連結部４２と設置部４０１ａの固定中心とを結ぶ第二仮想直線ＶＬ２上に配置されてもよい。このようにすれば、上記実施形態と同様の作用及び効果が得られる。
【００９８】
具体的には、第二仮想直線ＶＬ２は、設置部４０１ａの固定中心と、該固定中心を通る第一仮想直線ＶＬ１よりも外方に配置された連結部４２とを結ぶ直線であるため、Ｚ軸方向において設置部４０１ａの固定中心から遠ざかるにつれて、設置部４０１ａの固定中心を通る第一仮想直線ＶＬ１に対して比例的に離間する。すなわち、第二仮想直線ＶＬ２は、第一仮想直線ＶＬ１に対して傾斜し、本体部４１０と延出部４１１との境界Ｅに対して比例的に接近する。
【００９９】
従って、第二仮想直線ＶＬ２上に配置された二つ以上の連結部４２のそれぞれから本体部４１０と延出部４１１との境界Ｅまでの距離は、Ｚ軸方向における二つ以上の連結部４２のそれぞれの位置に応じた距離となる。すなわち、Ｚ軸方向において設置部４０１ａの固定位置から遠い位置にある連結部４２ほど、本体部４１０と延出部４１１との境界Ｅまでの距離が比例的に短くなる。
【０１００】
これに対し、第一フレーム４０の傾倒に伴って作用するＸ軸方向の力は、Ｚ軸方向において設置部４０１ａの固定位置から遠い位置ほど比例的に大きくなる。
【０１０１】
従って、上記構成の蓄電装置は、各連結部４２に作用するＸ軸方向の力と各連結部４２から本体部４１０と延出部４１１との境界ＥまでのＹ軸方向の距離とのバランスが得られる結果、本体部４１０と延出部４１１との境界における各連結部４２と対応する位置での曲げモーメントが近づく或いは均一化される。これにより、各連結部４２と対応する位置での曲げ応力も近づく或いは均一化される。
【０１０２】
この場合、第二仮想直線ＶＬ２の傾きが第一フレーム４０の各位置（Ｚ軸方向の位置）におけるＸ軸方向に変位しようとする量の変化を表す傾斜の傾きと近似する傾き或いは同一の傾きになるように、二つ以上の連結部４２のうちの最も終端部４００の他端側にある連結部４２が配置されることが好ましい。すなわち、第二仮想直線ＶＬ２の傾きが蓄電素子２の付勢に伴って傾倒しようとする第一フレーム４０の各位置（Ｚ軸方向の各位置）で作用するＸ軸方向の力の変化を表す傾斜の傾きと近似した傾き或いは同一の傾きになるように、二つ以上の連結部４２のうちの最も終端部４００の他端側にある連結部４２が配置されることが好ましい。なお、この場合においても、第一仮想直線ＶＬ１、及び第二仮想直線ＶＬ２の関係（連結部４２と設置部４０１ａの固定中心との配置の基準）についても、図９からも明らかなように、Ｘ軸方向から見た関係（Ｘ軸方向の位置ずれを無視した平面的な関係）である。
【０１０３】
上記実施形態において、連結部４２が第二仮想直線ＶＬ２上又は延長線ＥＬ上に配置されたが、これに限定されない。例えば、二つ以上の連結部４２は、第二仮想直線ＶＬ２上又は延長線ＥＬ上から外れた位置に配置されてもよい。但し、二つ以上の連結部４２のうちの最も設置部４０１ａ側にある連結部４２以外の連結部４２は、二つ以上の連結部４２のうちの最も設置部４０１ａ側にある連結部４２よりもＹ軸方向において外方に配置されることは勿論である。
【０１０４】
上記実施形態において、蓄電装置１が複数の蓄電素子２を備えたが、これに限定されない。例えば、蓄電装置１は、一つの蓄電素子２を備えてもよい。すなわち、蓄電装置１は、少なくとも一つの蓄電素子２を備えていればよい。
【符号の説明】
【０１０５】
１…蓄電装置、２…蓄電素子、３…隣接部材、４…保持部材、５…インシュレータ、６…バスバ、２１…ケース、２２…外部端子、４０…第一フレーム、４１…第二フレーム、４２…連結部、２１１…ケース本体、２１２…閉塞部、２１３…胴部、２１４…長壁部、２１５…短壁部、２１６…蓋板、４００…終端部、４０１…取付部、４０１ａ…設置部、４０１ｂ…脚部、４０２ａ，４０２ｂ…穴、４０３…穴、４１０…本体部、４１１…延出部、４１２…第一延設部、４１３…第二延設部、４１４ａ，４１４ｂ…穴、４２０…ボルト、４２１…ナット、ＣＬ…中心線、ＥＬ…延長線、ＶＬ１…第一仮想直線、ＶＬ２…第二仮想直線、Ｅ…境界
【図１】
2019220430.tif 000003
【図２】
2019220430.tif 000004
【図３】
2019220430.tif 000005
【図４】
2019220430.tif 000006
【図５】
2019220430.tif 000007
【図６】
2019220430.tif 000008
【図７】
2019220430.tif 000009
【図８】
2019220430.tif 000010
【図９】
2019220430.tif 000011